(57)【要約】      （修正有）【課題】一種の剥ぎ取り式図面作成装置を提供し、子供が塗料を図案に塗る必要なくして、削ぎ取り方式により図面を作成できるようにする。【解決手段】底層材１、異なる色或いは模様を具えて底層材上に順に重合される複数の板状物２、図画輪郭線を構成しその包囲により複数の小ブロックを形成する複数の板状物裁断線４を包含し、図画作成時には、裁断線で囲まれてなる小ブロック２０を色或いは模様により順に一層ずつ剥ぎ取り、異なる色或いは模様の小ブロックの組合せにより一幅の図画を構成することができる。【選択図】図５
0003112827.tif 000002
【実用新案登録請求の範囲】
【請求項１】
底層材と、
異なる色或いは模様を具えて底層材上に順に重合される複数の板状物と、
図画輪郭線を構成しその包囲により複数の小ブロックを形成する複数の板状物裁断線と、
を包含し、図画作成時には、裁断線で囲まれてなる小ブロックを色或いは模様により順に一層ずつ剥ぎ取り、異なる色或いは模様の小ブロックの組合せにより一幅の図画を作成できることを特徴とする、剥ぎ取り式図画作成装置。
【請求項２】
請求項１記載の剥ぎ取り式図画作成装置において、底層材が紙材、ゴム布、木板、アクリル板、プラスチック板のいずれかを選択して形成されたことを特徴とする、剥ぎ取り式図画作成装置。
【請求項３】
請求項１記載の剥ぎ取り式図画作成装置において、板状物が色紙或いはゴム布のいずれかで形成されたことを特徴とする、剥ぎ取り式図画作成装置。
【考案の詳細な説明】
【技術分野】
【０００１】
本考案は一種の図画作成装置に係り、特に、図案を剥ぎ取る方式により、子供が図案に色を塗る必要なく、図画作成を行なうことができる剥ぎ取り式図画作成装置に関する。
【背景技術】
【０００２】
現在、子供用の図画作成装置には、塗り絵本があり、それは各ページが異なる図案を具え、該図案は白抜きの線で構成され、子供が自分の好きな色で線で囲まれてなる図案内を塗り潰すことができる。
【０００３】
しかしこのような塗り絵本は、子供が自分の好きな色を塗ることができるが、同一の図案内に子供が間違った色を塗ったり或いは塗り終えてから別の色を塗りたい時には、同一の図案内に新しい色を塗り重ねることができない。
【０００４】
現在、Ｗｉｎｄｏｗｓ（登録商標）システムはペイントシステムを提供している。子供は図画作成したい時、マウスでカーソルを操作してウインドウ中で移動させて、図案の線を描いた後、更に図案の必要な色をクリック選択し、図案の線で囲まれた部分を塗り潰すことができる。このような図画作成ソフトは上述の塗り絵本に較べて創作空間が大きいものの、このようなコンピュータソフトの操作はどの子供でもできるわけではない。
【考案の開示】
【考案が解決しようとする課題】
【０００５】
本考案の主要な目的は、上述の伝統の技術に存在する問題を解決し、問題の存在を無くすことにあり、即ち、本考案は一種の剥ぎ取り式図画作成装置を提供し、子供が塗料を図案に塗る必要なくして、削ぎ取り方式により図画を作成できるようにする。
【０００６】
上述の目的を達成するため、本考案の剥ぎ取り式図画作成装置は、底層材、異なる色或いは模様を具えて底層材上に順に重合される複数の板状物、図画輪郭線を構成しその包囲により複数の小ブロックを形成する複数の板状物裁断線を包含し、図画作成時には、裁断線で囲まれてなる小ブロックを色或いは模様により順に一層ずつ剥ぎ取り、異なる色或いは模様の小ブロックの組合せにより一幅の図画を構成することができるものとする。
【課題を解決するための手段】
【０００７】
請求項１の考案は、
底層材と、
異なる色或いは模様を具えて底層材上に順に重合される複数の板状物と、
図画輪郭線を構成しその包囲により複数の小ブロックを形成する複数の板状物裁断線と、
を包含し、図画作成時には、裁断線で囲まれてなる小ブロックを色或いは模様により順に一層ずつ剥ぎ取り、異なる色或いは模様の小ブロックの組合せにより一幅の図画を作成できることを特徴とする、剥ぎ取り式図画作成装置としている。
請求項２の考案は、請求項１記載の剥ぎ取り式図画作成装置において、底層材が紙材、ゴム布、木板、アクリル板、プラスチック板のいずれかを選択して形成されたことを特徴とする、剥ぎ取り式図画作成装置としている。
請求項３の考案は、請求項１記載の剥ぎ取り式図画作成装置において、板状物が色紙或いはゴム布のいずれかで形成されたことを特徴とする、剥ぎ取り式図画作成装置としている。
【考案の効果】
【０００８】
本考案の剥ぎ取り式図画作成装置は、上述の伝統の技術に存在する問題を解決し、問題の存在を無くしており、即ち、本考案は一種の剥ぎ取り式図画作成装置を提供し、子供が塗料を図案に塗る必要なくして、削ぎ取り方式により図画を作成できるようにしている。
【考案を実施するための最良の形態】
【０００９】
図１から図４に示されるように、本考案の剥ぎ取り式図画作成装置は、図案削ぎ取り方式により、子供が図案に塗料を塗る必要なく図画作成を行なえる構造を有する。
【００１０】
上述の剥ぎ取り式図画作成装置は、底層材１と異なる色或いは模様の複数の板状物２を包含する。
【００１１】
該底層材１は、紙材或いはゴム布、アクリル、木板、プラスチックの任意の材料で形成されている。
【００１２】
複数の板状物２は、好ましくはローラを利用して糊付けした後、第１層の板状物２１の糊付けした一面を上述の底層材１の表面に貼り付け、更に第２層の板状物２２の糊付けした面を第１層の板状物２１の糊付けしていない面に貼り付けた後、更に第３層の板状物２３に糊付けした面を前述の第２層の板状物２２の糊付けしていない面に貼り付ける。このように前述の工程を重複して全ての異なる色或いは模様の板状物２の貼り付けを完了する。その好ましい方法は、一般の印刷機のローラを利用して重畳するように貼り付ける方法であり、前述の板状物２は色紙或いはゴム布のいずれかの材料とされる。
【００１３】
上述の図画作成装置の半製品が完成した後、この半製品を裁断セクションに送り、裁断装置３で加圧裁断し、板状物２に複数の裁断線４を形成する。この裁断線４により図画の輪郭線を形成し、以上で図画作成装置の製造を完了する。
【００１４】
図５は本考案の図画作成装置の外観を示す。図示されるように、本考案の図画作成装置は、底層材１と、該底層材１の上に順に重畳するように貼り合わされた異なる色或いは模様の複数の板状物２とを包含し、該板状物２上には複数の裁断線４で形成された図画線が設けられている。
【００１５】
使用者が図画作成する時は、裁断線４で囲まれた小ブロック２０の板状物を色或いは模様により順に剥ぎ取ってその図案の下層の色或いは模様を露出させ、続いて削ぎ取り下層小ブロック２０ａに至ると、下層のプラスチックシートの色或いは模様が出現し、各一層の異なる色或いは模様の小ブロック２０及び２０ａを任意に組み合わせることで、一幅の色彩変化を有する図画を作成できる。
【００１６】
即ち、使用者は異なる色或いは模様に交換したい時に、各小ブロック２０の最上の一層を削ぎ取って次の一層を露出させれば、小ブロック２０の色或いは模様を交換できる。
以上は本考案の好ましい実施例の説明であって本考案の実施範囲を限定するものではなく、本考案に基づきなしうる細部の修飾或いは改変は、いずれも本考案の請求範囲に属するものとする。
【図面の簡単な説明】
【００１７】
【図１】本考案の剥ぎ取り式図画作成装置の製造過程表示図である。
【図２】本考案の剥ぎ取り式図画作成装置の製造過程表示図である。
【図３】本考案の剥ぎ取り式図画作成装置の製造過程表示図である。
【図４】本考案の剥ぎ取り式図画作成装置の製造過程表示図である。
【図５】本考案の剥ぎ取り式図画作成装置の外観図である。
【符号の説明】
【００１８】
１  底層材
２  板状物
２１  第１層の板状物
２２  第２層の板状物
２３  第３層の板状物
３  裁断装置
４  裁断線
２０  小ブロック
２０ａ  下層小ブロック
【図１】
0003112827.tif 000003
【図２】
0003112827.tif 000004
【図３】
0003112827.tif 000005
【図４】
0003112827.tif 000006
【図５】
0003112827.tif 000007